(57)【要約】本発明は、第１の荷電粒子ビームを生成するように構成された荷電粒子源と、入来する第１の荷電粒子ビームから複数の荷電粒子ビームレットを生成するように構成されたマルチビーム生成器であって、複数の荷電粒子ビームレットの各個別のビームレットは、複数の荷電粒子ビームレットの他のビームレットから空間的に分離される、マルチビーム生成器と、複数の荷電粒子ビームレットの第１の個別のビームレットが第１の平面において衝突する第１の領域が、複数の荷電粒子ビームレットの第２の個別のビームレットが第１の平面において衝突する第２の領域から空間的に分離される方法で、第１の平面において入来荷電粒子ビームレットを集束させるように構成された対物レンズと、投射システムと、複数の個別の検出器を備えた検出器システムとを備えた荷電粒子ビームシステムに関し、投射システムは、衝突する荷電粒子に起因して第１の平面内の第１の領域を出る相互作用生成物を複数の個別の検出器のうちの第１の１つの検出器上に結像し、衝突する荷電粒子に起因して第１の平面内の第２の領域を出る相互作用生成物を複数の個別の検出器のうちの第２の１つの検出器上に結像するように構成される。荷電粒子ビームシステムで、投射システムは、低周波数調整を提供する第１の従属部品と、高周波数調整を提供する第２の従属部品とを備える。
2020511733.tif 000002
【特許請求の範囲】
【請求項１】
荷電粒子ビームシステムであって、
第１の荷電粒子ビームを生成するように構成された荷電粒子源と、
入来する第１の荷電粒子ビームから複数の荷電粒子ビームレットを生成するように構成されたマルチビーム生成器であって、前記複数の荷電粒子ビームレットの各個別のビームレットは、前記複数の荷電粒子ビームレットの他のビームレットから空間的に分離される、マルチビーム生成器と、
前記複数の荷電粒子ビームレットの第１の個別のビームレットが第１の平面において衝突する第１の領域が、前記複数の荷電粒子ビームレットの第２の個別のビームレットが前記第１の平面において衝突する第２の領域から空間的に分離される方法で、前記第１の平面において入来荷電粒子ビームレットを集束させるように構成された対物レンズと、
投射システムと、複数の個別の検出器を備えた検出器システムと、
を備え、
前記投射システムは、衝突する荷電粒子に起因して前記第１の平面内の前記第１の領域を出る相互作用生成物を前記複数の個別の検出器のうちの第１の１つの検出器上に結像し、衝突する荷電粒子に起因して前記第１の平面内の前記第２の領域を出る相互作用生成物を前記複数の個別の検出器のうちの第２の１つの検出器上に結像するように構成され、
前記投射システムは、低周波数調整を提供する第１の従属部品と、高周波数調整を提供する第２の従属部品とを備える、
荷電粒子ビームシステム。
【請求項２】
高周波数調整を提供する前記従属部品は、静電レンズ、静電偏向器および静電非点収差補正器からなる群のうちの少なくとも１つを含む、請求項１に記載の荷電粒子ビームシステム。
【請求項３】
前記投射システムは、交差面内に電流監視開孔を備える、請求項１または２に記載の荷電粒子ビームシステム。
【請求項４】
高速ＣＣＤカメラをさらに備える、請求項１〜３のいずれか一項に記載の荷電粒子ビームシステム。
【請求項５】
前記投射システムの実際の状態を分析し、前記複数の荷電粒子ビームレットによる試料の走査中に前記第２の従属部品を操作するように構成されたコンピュータシステムをさらに備える、請求項１〜４のいずれか一項に記載の荷電粒子ビームシステム。
【請求項６】
前記コンピュータシステムは、前記個別の検出器上の前記相互作用生成物のビームスポットの位置および／または形が一定に保たれる方法で前記第２の従属部品を調整するように構成される、請求項５に記載の荷電粒子ビームシステム。
【請求項７】
前記コンピュータシステムは、２ステップモードで前記投射システムを調整するように構成され、それにより、
ａ．  第１のステップで、前記第１の部品は、前記第２の従属部品が一定に保たれているかまたはスイッチを切られている間に調整され、
ｂ．  第２のステップで、前記第２の従属部品は、前記第１の従属部品が一定に保たれている間に調整される、
請求項６に記載の荷電粒子ビームシステム。
【請求項８】
高周波数調整を提供する前記従属部品は、静電マイクロ光学部品アレイを含む、請求項１〜７のいずれか一項に記載の荷電粒子ビームシステム。
【請求項９】
荷電粒子ビームシステムを動作させる方法であって、
ａ．  高速マルチビーム投射位置合わせシステムをオフ状態にして、静的方法および静的荷電粒子光学素子でマルチビーム荷電粒子ビームシステムを位置合わせするステップと、
ｂ．  ワークフローを整備し開始するステップと、
ｃ．  第１の像が記録される前に高速マルチビーム投射位置合わせシステムを作動させるステップと、
ｄ．  複数の検出器上への相互作用生成物の最適な結像のために前記高速マルチビーム投射位置合わせシステムを制御するステップと、
を含む、方法。
【請求項１０】
複数の二次荷電粒子ビームレットのパターンの画像を記録するステップをさらに含む、請求項９に記載の方法。
【請求項１１】
前記記録された画像を分析するステップと、所望パターンからの前記記録されたパターンの偏差を補正するために適切な電圧を差し引くステップと、前記高速マルチビーム投射位置合わせシステムの適切な部品に前記差し引かれた電圧を印加するステップと、をさらに含む、請求項１０に記載の方法。
【請求項１２】
交差面における前記複数の二次荷電粒子ビームレットのセンタリングを監視するステップをさらに含む、請求項１０または１１に記載の方法。
【請求項１３】
一次荷電粒子ビームレットによって試料を同時に走査する間に少なくとも２回前記高速マルチビーム投射位置合わせシステムを調整するステップをさらに含む、請求項９〜１２のいずれか一項に記載の方法。
【発明の詳細な説明】
【技術分野】
【０００１】
本発明は、荷電粒子ビームシステムおよび方法に関する。より詳細には、本発明は、マルチビーム荷電粒子ビームシステムおよび関連方法に関する。
【背景技術】
【０００２】
マルチビーム荷電粒子ビームシステムは、例えば、国際公開第２００５０２４８８１Ａ２号パンフレットおよび国際公開第２０１６／１２４６４８号パンフレットに開示される。
【０００３】
マルチビーム電子顕微鏡などのマルチビーム荷電粒子ビームシステムのために、異なる一次荷電粒子ビームに由来する相互作用生成物、すなわち二次電子は、投射システムによって別個の検出器上に結像される必要がある。この目標を達成するために、静電抽出場を使用することができる。均一な抽出場は、二次電子などの相互作用生成物をマルチ検出器の個別の検出器上に結像させることと、走査偏向器電圧とマルチ検出器の個別の検出器におけるそれぞれのビーム位置との間のマッピングが忠実であることとを確実にする。マルチ検出器の個別の検出器、例えばマルチ検出器の部品を形成するシンチレータ、における二次電子のスポット形状は、静電抽出場の均一性に決定的に依存する。１つのスポットが１つまたはいくつかの対応する検出器上に結像されるとき、静電抽出場の均一性は、ビームと対応する検出信号との間のクロストークを左右する。
【０００４】
試料表面上の残留電荷の存在するところで、静電抽出場は局所的に歪むことがある。それによって、別個の検出器への結像は、表面の実行可能な走査が不可能な程度に乱されることがある。特に、検出器におけるビームの位置決めは、強く時間依存的かつ一次ビーム位置依存的になることがある。走査型電子顕微鏡（ＳＥＭ）における帯電緩和のための一般的な方法は、特に良好な二次結像のための抽出場均一性制約に関して、マルチビーム走査ビームシステムの一次および二次ビーム経路の両方に適合するのが簡単ではない。これは、試料帯電、ガス圧入手法などの影響を低減するために格子を使用する方法に当てはまる。定常状態の場合に（すなわちワークフロー実行の間または画像フレームの記録の間に）検出器を再調整するための利用可能な方法は、マルチビーム荷電粒子ビームシステムでビームを操るのに十分高速ではない。
【発明の概要】
【発明が解決しようとする課題】
【０００５】
本発明の目的は、衝突する一次荷電粒子ビームまたはビームレットに起因して試料が帯電する場合に同様にマルチビーム荷電粒子ビームシステムを動作させるための解決策を提供することである。これらの目標および他の目標は、請求項１に記載の特徴を有するシステムおよび請求項９に記載の特徴を有する方法を用いて解決される。有利な実施形態は、従属請求項に開示される。
【課題を解決するための手段】
【０００６】
原則として本発明は、投射システムを静的（または低周波数）従属部品と動的（または高周波数）従属部品とに分けて考えることによって、これらの目標を解決する。高周波数従属部品を用いてその場で投射システムの再調整が達成される。
【０００７】
荷電粒子ビームシステムは、第１の荷電粒子ビームを生成するように構成された荷電粒子源と、入来する第１の荷電粒子ビームから複数の荷電粒子ビームレットを生成するように構成されたマルチビーム生成器を備え、複数の荷電粒子ビームレットの各個別のビームレットは、複数の荷電粒子ビームレットの他のすべてのビームレットから空間的に分離される。荷電粒子ビームシステムは、複数の荷電粒子ビームレットの第１の個別のビームレットが第１の平面において衝突する第１の領域が、複数の荷電粒子ビームレットの第２の個別のビームレットが第１の平面において衝突する第２の領域から空間的に分離される方法で、第１の平面において入来荷電粒子ビームレットを集束させるように構成された対物レンズをさらに備える。荷電粒子ビームシステムは、投射システムと、複数の個別の検出器を備えた検出器システムとをさらに備える。投射システムは、衝突する荷電粒子に起因して第１の平面内の第１の領域を出る相互作用生成物を複数の個別の検出器のうちの第１の１つの検出器、または第１の検出器群上に結像し、衝突する荷電粒子に起因して第１の平面内の第２の領域を出る相互作用生成物を複数の個別の検出器のうちの第２の１つの検出器、または第２の検出器群上に結像するように構成される。投射システムは、低周波数調整を提供する第１の従属部品と、高周波数調整を提供する第２の従属部品とを備える。
【０００８】
複数の個別の検出器のうちの第１の１つの検出器は、複数の個別の検出器のうちの第２の１つの検出器と異なっている。各二次荷電粒子ビームレットに対して個別の検出器の群が設けられる場合、すなわち各二次荷電粒子ビームレットに対して２つ以上の検出器が設けられる場合、第１の二次荷電粒子ビームレットに割り振られた個別の検出器の第１の群は、第２の二次荷電粒子ビームレットに割り振られた個別の検出器の第２の群と完全に異なっており、個別の検出器の第１の群の検出器は、個別の検出器の第２の群に同時に属さない。
【０００９】
ある特定の場合、個別の検出器は、複数の感応検出サブフィールドから構成されてもよく、すなわち各二次荷電粒子ビームレットは、単一の個別の検出器を形成する複数の検出サブフィールドに衝突する。
【００１０】
荷電粒子ビームシステムの一実施形態で、高周波数調整を提供する従属部品は、静電レンズ、静電偏向器および静電非点収差補正器を含む群のうちの少なくとも１つを含む。理想的には、高周波数調整を提供する従属部品は、静電レンズ、静電偏向器および静電非点収差補正器などの静電素子のみからなり、磁気素子を何も含まない。
【００１１】
高周波数調整を提供する従属部品は、一次荷電粒子ビームレットが試料表面上の１つの位置から次の位置まで走査される走査周波数に相当する調整周波数を提供することができ、すなわち試料上の走査フィールドが各一次荷電粒子ビームレットで走査される間に高周波数調整を数回、すなわち２回以上、行うことができる。
【００１２】
高周波数調整を提供する従属部品は、同様に、個別の二次荷電粒子ビームレットに個別に影響を与え得る、静電マイクロレンズアレイまたは静電非点収差補正器アレイを含み得る。それぞれの静電非点収差補正器アレイは、各二次電子ビームレットのための電子透過開口部と、各開口部を取り囲む２、３、４、６または８個の電極とを有する多孔アレイを含み得る。電極は、互いに対しておよび多孔アレイのキャリアに対して電気的に絶縁される。各開口部を取り囲む個別の電極に適切な電圧を印加することによって、このような開口部を透過する二次電子ビームレットを高周波数で個別に調整または変更することができる。
【００１３】
荷電粒子ビームシステムのさらなる実施形態で、投射システムは、交差面内に電流監視開孔を備える。
【００１４】
別の実施形態で、荷電粒子ビームシステムは、高速ＣＣＤカメラをさらに備える。高速ＣＣＤカメラを使用して、試料の帯電に起因する、検出面における相互作用生成物の像（またはスポット）の位置または形の変化を識別することができる。高速ＣＣＤカメラで記録された画像を分析することによって、所望の位置および／または所望の形からの、検出面における相互作用生成物のスポットまたは像の偏差を決定することができ、高周波数調整を提供する従属部品のための適切な調整値を差し引くことができ、それぞれの調製電圧をそれぞれの部品に印加することができる。
【００１５】
一実施形態で、荷電粒子ビームシステムは、投射システムの実際の状態を分析し、複数の荷電粒子ビームレットによる試料の走査中に第２の従属部品を操作するように構成されたコンピュータシステムを備える。
【００１６】
荷電粒子ビームシステムのさらなる実施形態で、コンピュータシステムは、マルチ検出器の個別の検出器上の相互作用生成物の位置および／または形が一定に保たれる方法で投射システムの第２の（動的または高周波数）従属部品を調整するように構成される。
【００１７】
荷電粒子ビームシステムの一実施形態で、コンピュータは、２ステップモードで投射システムを調整するように構成され、それにより、
ａ．  第１のステップで、第１の（低周波数）従属部品は、第２の（動的）従属部品が一定に保たれているかまたはスイッチを切られている間に調整され、
ｂ．  第２のステップで、第２の（動的）従属部品は、第１の従属部品が一定に保たれている間に調整される。
【００１８】
本発明の一実施形態による方法は、
−  高速マルチビーム投射位置合わせ方法をオフ状態にして、静的方法および静的荷電粒子光学素子でマルチビーム荷電粒子ビームシステムを位置合わせするステップと、
−  ワークフローを整備し開始するステップと、
−  第１の像が記録される前に高速マルチビーム投射位置合わせシステムを作動させるステップと、
−  複数の検出器上への相互作用生成物の最適な結像のために高速マルチビーム投射位置合わせシステムを制御するステップと
を含む。
【００１９】
動的従属部品の助けを借りた投射システムの位置合わせは、試料の像を記録するワークフローが実行される間に実行され数回繰り返される。投射システムの位置合わせのために像を記録するプロセスを中断することなく、複数の一次荷電粒子ビームレットで試料を走査し、衝突する一次荷電粒子が原因で試料を出た相互作用生成物を記録することによって、試料の像を記録する間に投射システムの位置合わせを実行することができる。
【００２０】
方法の第１のステップで、マルチビーム荷電粒子ビームシステムは、静的方法および静的（または低周波数）荷電粒子光学部品を使用することのみによって調整される。このステップ中に、高速マルチビーム投射位置合わせシステムの部品には、電圧が印加されないか、または既知で定義済みの時不変電圧だけが印加される。
【００２１】
検出器収集効率およびクロストークに対する試料帯電の影響を補償するための高速投射システム位置合わせは、投射システム位置合わせ要素、例えば集束の低レイテンシ制御だけでなく、マルチビーム荷電粒子ビームシステムの走査システムと高速検出器カメラおよびリアルタイム投射システム位置合わせアルゴリズムとの同期も提供する。
【００２２】
投射システムは、磁気レンズまたはいくつかの磁気レンズと静電素子の組み合わせを備える。静電素子でヒステリシスが解消され、数秒の代わりに数ｍｓのスイッチング時間が達成される。加えて、調整中のラーモア回転が回避される。
【００２３】
相互作用生成物の投射経路内の静電偏向器および／または静電非点収差補正器は、渦電流がなく、誘導性がなく、調整時間がｍｓの代わりにμｓになるという利点を提供する。
【００２４】
国際公開第２０１６／１２４６４８号パンフレットの図２に描かれるような、投射システム内に配置されたズーム開孔を用いて、開孔サイズの高速な実質上の変更が達成される。相互作用生成物の二次荷電粒子ビーム経路内の追加の高速偏向器は、検出システム上へのビーム経路の高速位置合わせの可能性を提供する。
【００２５】
相互作用生成物のビーム経路の交差面内に配置された高速角度分解電流監視装置を活用して、リアルタイムでの交差点のセンタリングを達成することができる。
【００２６】
高速ＣＣＤカメラおよび静電位置合わせ要素は、コンピュータシステムに直接結合することができる。それによって、他のすべての要素を制御する主制御ソフトウェアを通したレイテンシが回避され、静電位置合わせ要素のオフモードでは、二次電子投射はそれらによってまったく影響を受けない。コンピュータシステムは、グラフィック処理ユニット（ＧＰＵ）を備えてもよく、ＦＰＧＡを利用したものであってもよい。位置合わせアルゴリズムは、ＣＣＤカメラによって記録された画像において高速スポット位置およびスポット形状検出を達成するために構成することができる。二次電子ビームレットの最適なシフトは、偏向器の励起に対する偏向素子の感度を使用することによって達成することができ、直接最適化のためにフィードバックループを使用することができる。画像歪みの場合、二次電子ビームスポットの形状に関する非点収差補正器の感度を使用することによって、および二次電子ビームスポットの形状の直接最適化のためにフィードバックループを使用することによって、二次電子の最適な位置を調整するために非点収差補正器の励起を使用することができる。
【００２７】
位置合わせアルゴリズムを用いて、非点収差補正器の励起は、非点収差補正器の感度を使用することによって、および直接最適化のためにフィードバックループを使用することによって、最適なスポット形状のために調整される。集束素子の位置合わせおよび試料高電圧バイアスは、レンズの感度を使用し、直接最適化のためにフィードバックループを同様に使用することによって、最適なスポット形状のために調整される。クロストーク最適化のために、投射交差ズームシステムと、リアルタイムで（フレーム毎に１回）処理能力（ＴＰＴ）対クロストークを最適化するためのそれぞれの制御アルゴリズムとを介して、実質上の開孔サイズを変更することができる。
【００２８】
位置合わせアルゴリズムは、例えば、走査された一次荷電粒子ビームレットのフライバック中に、すなわち、試料上のラインまたはフィールドが一次荷電粒子ビームレットによって走査された後、一次荷電粒子ビームレットが新しいラインまたは新しいフレームの開始点に戻される間に、像記録モードから交差監視モードへの高速切り替えを提供することができ、このようなフライバック中に、通常、一次荷電粒子ビームレットと試料との相互作用生成物は、試料の像を記録するために使用されない。交差位置の最適化は、複数の一次荷電粒子ビームレットを用いて試料を走査することによって試料の像を記録するプロセス中に、その場で交差監視によって同様に達成することができる。
【００２９】
開孔上での高速角度分解電流検出は、角度分解電流検出器によって検出される最小化した電流を達成するように静電素子を調整することによって交差点のセンタリングおよび／または位置合わせのために有利である。それぞれの角度分解電流検出器は、開孔の開口部を取り囲む複数の電気的に絶縁された電極を有する、投射システムの交差面における絞りを用いて達成することができる。
【００３０】
ビームセンタリングのための角度分解検出器の代替実施形態は、発光物質で覆われた開孔と、発光物質に衝突する二次荷電粒子に起因するシンチレーションを検出する高速カメラとを備え得る。同様に、この代替実施形態は、リアルタイムセンタリングのための交差監視装置を提供する。
【００３１】
添付図面を参照してさらなる詳細を開示する。
【図面の簡単な説明】
【００３２】
【図１】マルチビーム荷電粒子システムの一実施形態の略図を示す。
【図２】第１の実施形態の検出システムの略図を示す。
【図３】二次電子ビームレットのビーム経路における投射システム制御のための高速（動的）従属部品を有するマルチビーム投射制御の一部分のブロック図を示す。
【図４】追加の静電偏向器、静電非点収差補正器、静電レンズ、ビームスプリッタ偏向器および開始エネルギーＨＶ供給部を有する投射経路の略図を示す。
【図５】図５ａ−図５ｆは、試料帯電によって引き起こされる特定の歪みの場合に投射システムの動的従属部品を用いて達成される補正の説明図を示す。
【図６】二次荷電粒子ビームレットのフィルタリングを達成するために投射システム内に設けることができる絞りを示す。
【図７】交差位置補正のための角度依存電流読み出しのための交差監視能力を有する開口絞りの実施形態を示す。
【図８】検出システムのさらなる実施形態を示す。
【発明を実施するための形態】
【００３３】
下記の例示的な実施形態で、機能および構造が類似の構成要素は、できる限り類似の参照符号で指し示される。
【００３４】
図１の略図は、マルチビームレット荷電粒子顕微鏡システム１の基本的な特徴および機能を例示する。図で使用されるシンボルは、例示された構成要素の物理的構成を表さないが、それらのそれぞれの機能性を象徴するように選ばれていることに留意するべきである。示されるシステムのタイプは、対物レンズ１０２の物体平面１０１に位置する物体７の表面上に一次電子ビームスポット５を生成するために複数の一次電子ビームレット３を使用する走査型電子顕微鏡（ＳＥＭ）のそれである。しかしながら、イオン、とりわけヘリウムイオン、陽電子、ミューオンおよびその他のものなどの他のタイプの一次荷電粒子を電子の代わりに使用してシステム１の特徴および機能が同様に実施され得ることは、言うまでもない。
【００３５】
示される顕微鏡システム１は、複数の一次荷電粒子ビームレット３を生成するための荷電粒子マルチビームレット生成器３００と、一次荷電粒子ビーム経路１３から二次荷電粒子ビーム経路１１を分離するためのビーム・スプリッタ・ユニット４００と、物体平面１０１上に一次荷電粒子ビームレット３を集束させるように適合された物体照射ユニット１００と、各二次荷電粒子ビームレット９に対する個別の強度信号を作成するための検出ユニット２００とを備える。
【００３６】
例示された実施形態で、一次ビームレット生成器３００は、電子源３０１、コリメーティングレンズ３０３、一次ビームレット形成ユニット３０５、および視野レンズ３０７を備える。
【００３７】
電子源３０１は、コリメーティングレンズによって平行にされて一次ビームレット形成ユニット３０５に入射するビーム３１１を形成する、発散電子ビーム３０９を生成する。図１に示されるようにただ１つの発散電子ビーム３０９を生成する電子源の代わりに、２つ以上の発散電子ビームを作成する電子源を使用してもよい。２つ以上の電子ビームは、それから、ただ１つのコリメーティングレンズ３０３によって、またはそれぞれ個別の電子ビーム３０９のサブセットもしくはただ１つを平行にする適切な数のコリメーティングレンズ３０３によって、平行にされる。
【００３８】
ビームレット形成ユニット３０５は、基本的に、１つまたは複数の電子ビーム３１１によって照射される第１の多孔プレートと、ビーム３１１中の電子の移動の方向に関して、第１の多孔プレートの下流に位置する第２の多孔プレートとを備える。第２の多孔プレートは、好ましくは、集束させる特質が開孔に与えられ、第２の多孔プレートがマイクロレンズアレイの機能を担うように、規定電位に設定される。
【００３９】
ビームスポット５において物体７に入射する一次電子は、物体７の表面から放射される二次電子を生成する。二次電子は、二次電子ビームレット９を形成し、それは、対物レンズ１０２およびビーム・スプリッタ・ユニット４００を横断し、二次ビーム経路１１に従う。ビーム・スプリッタ・ユニット４００は、通常、磁場を用いて一次ビーム経路１３から二次ビーム経路１１を分離し、二次ビーム経路１１を検出ユニット２００に方向づける。
【００４０】
検出ユニット２００は、二次電子ビームレット９を検出器配置２０９の電子感知型検出器２０７の表面平面２１１上に投射するための投射レンズ２０５を備える。電子感知型検出器２０７は、単一デバイスであってもよく、または２つ以上の個別の検出器を備えてもよい。これにかかわらず、検出器２０７は、投射レンズ２０５によって検出器表面２１１上に集束される二次荷電粒子ビームレット９のパターンに適合したパターンに配置された感知エリアのアレイを提供する。これは、検出器表面２１１に入射する他の二次荷電粒子ビームレット９から独立した各個別の二次荷電粒子ビームレット９の検出を可能にする。したがって、複数の電気信号が作成され、それによって、各信号の値は、二次ビームレット９のうちのただ１つの二次ビームレットの性質に対応する。
【００４１】
一次ビームレット生成器３００が、各パターンが基本パターンのサブパターンを形成するように一次ビームレット３のパターンを変更することだけでなく、基本パターンを変更することも可能にする場合、検出器配置２０９には、好ましくは、異なる基本パターンに配置されたその感知エリアをそれぞれ有する、さらなる検出器２０７が装備されている。二次ビームレット９のパターンは、一次ビームレット生成器３００によって生成される一次ビームレット３のパターンに対応するので、各検出器２０７の感知エリア・アレイ・パターンは、好ましくは、一次ビームレット３のために利用可能なパターンのうちの１つに対応する。
【００４２】
物体照射ユニット１００は、例えば試料台のような物体取付け台によって物体７の調査される表面が位置決めされる物体平面１０１上に一次荷電粒子ビームレット３を集束させる対物レンズ１０２を備える。物体取付け台は、図に示されていない。物体照射システム１００は、複数の集束荷電粒子ビームレットで同時に試料の表面を走査するために、複数の荷電粒子ビームレットをビーム伝播方向に対して垂直な方向に偏向させることができる偏向システム（図示されない）をさらに備える。
【００４３】
例示された実施例で、一次荷電粒子源は、エミッタチップ３１０および引き出し電極３０２を特徴とする電子源３０１の形で実施される。例えばヘリウムイオンのような、電子以外の一次荷電粒子を使用するとき、一次荷電粒子源３０１の構成は、示されたものと異なっていてもよい。
【００４４】
電子源３０１は、発散電子ビーム３０９を発し、それは、示された実施例ではコリメーティングレンズ３０３によって平行にされて、平行ビーム３１１を形成する。コリメーティングレンズ３０３は、通常、１つもしくは複数の静電レンズもしくは磁気レンズによって、または静電レンズと磁気レンズの組み合わせによって形成される。コリメーティングレンズの使用は、必須ではないが、ビームレット形成ユニット３０５で使用される多孔プレートが平面構造、すなわち開孔３１５が非曲面内に配置される構成を有するとき、好ましい。コリメーティングレンズ３０３が使用されないとき、多孔プレート３１３および３２０の開孔３１５は、好ましくは曲面内に配置され、その曲率は、例えば、参照により本明細書に援用される、文献国際公開第２００７／０２８５９６Ａ１号パンフレットに説明されるように、一次ビーム３０９の発散性に適合される。
【００４５】
平行ビーム３１１（または、コリメーティングレンズが使用されない場合、非平行ビーム）は、一次ビームレット形成ユニット３０５の多孔セレクタプレート３１３に入射する。多孔プレートセレクタ３１３は、その中に形成された２つ以上の開孔アレイ３１７を有する。各開孔アレイは、多孔セレクタプレート３１３内に形成された１つまたは複数の開孔３１５を備える。多孔アレイの開孔は、一次元または二次元パターンに配置することができ、それによって、二次元パターンは物体の表面の高速検査のために好ましい。
【００４６】
検出システムはフィルタ２０８をさらに備え、それを活用して、第１の平面１０１において試料７から出る相互作用生成物（例えば二次電子）をそれらの軌道またはビーム経路に従ってフィルタリングすることができる。フィルタを有するそれぞれの検出システムの一実施例が図２に示される。
【００４７】
マルチビームシステムは、マルチ検出器２０９を用いて記録された画像を評価および分析するためだけでなく個別の荷電粒子ビーム成分を制御するように構成される、コンピュータシステムまたはコントローラ１０をさらに備える。加えて、コントローラ１０は、デイスプレイ上にマルチ検出器２０９を用いて集められた検出信号に基づいて画像を生成するように構成される。
【００４８】
図２の検出システム２００は、投射レンズ２０５およびマルチ検出器２０９に加えて２つの追加の荷電粒子レンズ２１０、２１１を備える。第１の追加の荷電粒子レンズ２１０は、交差面２１４内に交差点を形成する。この交差面で、異なる領域で第１の平面１０１を出る相互作用生成物のビーム経路、すなわち二次電子ビームレットのビーム経路は、重畳される。第２の追加の荷電粒子レンズ２１１は、その焦点面が第１の追加の荷電粒子レンズ２１０の交差面２１４と実質的に一致するように動作する。第１の平面１０１を出る相互作用生成物のビーム経路は、それから、第２の追加の荷電粒子レンズ２１１の下流で互いに分離されて走り、マルチ検出器２０９の別個の検出領域２１５上に投射レンズ２０５によって投射される。
【００４９】
交差面２１４またはその近傍に絞り２１６が配置され、それを活用して、相互作用生成物をそれらのビーム経路に従ってフィルタリングすることができる。円形開口部２１８を含む、絞りに関する第１の実施形態が図６に示される。円形開口部２１８は、相互作用生成物に対して透過性であり、一方絞り２１６の外側部分は、相互作用生成物に対して非透過性である。投射システムの交差面におけるこのような種類の明視野絞りを用いて、異なる個別の検出フィールド間のクロストーク、すなわち、第１の領域で第１の平面１０１を出る相互作用生成物のビーム経路と、第１の領域とは異なる第２の領域で第１の平面１０１を出る相互作用生成物に割り当てられた検出器との間のクロストークを回避するか、または少なくとも低減することができる。
【００５０】
図２の投射システムの高周波数調整のために、以下に図４を参照して説明されるように、同様の方法で配置され同様の方法で制御される図２に示される要素に加えて、静電レンズ、静電偏向器および静電非点収差補正器などの追加の動的要素を設けることができる。同様に、二次荷電粒子ビームレットによって生成されるスポットの像を記録するための検出器方式は、図４を参照して以下により詳細に説明されるように構成することができる。
【００５１】
図２に示されるシステムおよび図６に示される絞りのさらなる詳細に関しては、国際公開第２０１６／１２４６４８号パンフレットのそれぞれの図の説明が参照され、そのそれぞれの図２および６に関するその開示は、参照により本明細書に援用される。
【００５２】
検出システム２００における絞りに関する代替実施形態が図７に示される。絞り１２１３は、相互作用生成物に対して透過性である円形開口部１２１４を同様に有する。しかしながら、円形開口部は、絞りの本体に対してだけでなく互いに対しても電気的に絶縁された数個の電極１２１５ａ〜１２１５ｈによって半径方向に取り囲まれている。電極は、電流検出器として機能することができる。各電極は信号線を備え、それを介して各電極内に誘導された電流を検出することができる。電極１２１５ａ〜１２１５ｈのセットに誘導された電流または電荷の非対称性を検出することによって、絞りの開孔を通過する荷電粒子ビームレットの偏心を検出することができる。
【００５３】
代替実施形態で、電極を円形開口部１２１４の周りに配置する代わりに、発光物質を円形開口部の周囲に設けることができ、さらに、衝突する電子に起因して発光物質によって発せられる光を検出するために光検出器が設けられる。発光物質の発光の非対称性を検出することによって、絞り１２１３を通過する荷電粒子ビームレットの偏心を検出することができる。
【００５４】
絞りに関する上述の代替実施形態だけでなく図７に示される絞りも、図２に示される検出システムの交差面２１４または図８の交差面２３８内に配置される場合、その場での交差監視装置として使用することができる。したがって、投射システムは、交差面内に電流監視開孔を備える。
【００５５】
図８は、相互作用生成物をそれらのビーム経路に従ってフィルタリングする可能性を提供する検出システムの代替を示す。図８は、国際公開第２０１６／１２４６４８号パンフレットの図４と同一であり、この検出システムならびにその能力および利点の説明に関しては、参照により本明細書に援用される、国際公開第２０１６／１２４６４８号パンフレットの図４のそれぞれの説明に委ねる。図８（または国際公開第２０１６／１２４６４８号パンフレットの図４）に示されるシステムは、これもまた国際公開第２０１６／１２４６４８号パンフレットにより詳細に説明されているように、交差ズームシステムを形成することに特に留意するべきである。
【００５６】
投射レンズ２０５およびマルチ検出器２０９に加えて、図８の検出器システム２００は、６つのさらなる粒子ビームレンズ２３０、２３１、２３２、２３３、２３５、２３６を有する。２つの第１のさらなる粒子ビームレンズ２３０、２３１は、第１の交差面２３８内に二次荷電粒子ビームレットの第１の交差点を形成し、２つの後続のさらなる粒子ビームレンズ２３２、２３３は、第２の交差面２３９内に二次荷電粒子ビームレットの第２の交差点を形成する。第２の交差面２３９に続く２つのさらなる粒子ビームレンズ２３５、２３６は、第１の平面１０１においてさまざまなフィールド領域から現れる相互作用生成物がマルチ検出器２０９上への投射レンズ２０５を活用してマルチ検出器２０９のさまざまな検出領域２１５上に再び投射されるように、第２の交差面２３９から現れる相互作用生成物の二次荷電粒子ビームレットを再び集める。
【００５７】
検出器システム２００のこの実施形態で、２つの異なる絞り２３７、２３４を第１および第２の交差面２３８および２３９で同時に使用することができる。例として、図６に描写される明視野絞り２１３を第１の交差面２３８内に配置することができ、環状の開孔を有する絞りを第２の交差面２３９内に配置することができる。この実施形態では、検出領域２１５間のクロストークの抑制と、第１の平面１０１におけるそれらの開始角度による相互作用生成物の標的フィルタリングとを同時に実行する。
【００５８】
ここで、２つの絞り２３７、２３４は、同様に、環状の開孔を有する絞りが第１の交差面２３８内に配置され、中央の開孔を有する絞りが第２の交差面２３９内に配置されるように、交換された方法で配置されてもよいことが注目される。
【００５９】
さらなる粒子ビームレンズ２３０、２３１、２３２、２３３、２３４、２３５の励起を変えることによって、二次荷電粒子ビームレットの軌道を２つの交差面２３８、２３９において互いに独立して設定することが可能である。交差面２３８、２３９における軌道を変えることによって、絞りをそのために機械的に交換する必要なく、異なる絞り半径および絞り直径をシミュレートすることが可能である。検出器システム２００に入るときおよび投射レンズ２０５に入るときの軌道は、第１の平面１０１におけるフィールド領域とマルチ検出器２０９の検出領域との間の関連性を維持することができるように、この場合一定に保つことができる。第１の平面１０１における二次荷電粒子ビームレットのすべてによって送られる物体視野は、その過程で変化せず一定のままである。
【００６０】
この場合、さらなる粒子ビームレンズ２３０、２３１、２３２、２３３、２３５、２３６は、磁気レンズまたは静電レンズのいずれかとすることができる。
【００６１】
図８の実施形態で、６つのさらなる粒子ビームレンズ２３０、２３１、２３２、２３３、２３５、２３６は、２つの絞り２３４、２３７および投射レンズ２０５とともに投射システムを形成する。
【００６２】
図８の投射システムの高周波数調整のために、再び、以下に図４を参照して説明されるように、同様の方法で配置され同様の方法で制御される図８に示される要素に加えて、静電レンズ、静電偏向器および静電非点収差補正器などの追加の動的要素を設けることができる。同様に、二次荷電粒子ビームレットによって生成されるスポットの像を記録するための検出器方式は、図４を参照して以下により詳細に説明されるように構成することができる。
【００６３】
図３は、マルチビーム荷電粒子ビームシステムの（図１の制御システム１０に対応する）制御システム８００の一部分のブロック図である。制御システム８００は、走査システム制御部品８０１と、荷電粒子ビームレンズおよび多重極を調整するための投射システムの静的または低周波数従属部品のための制御８０２とを備える。制御システム８００は、検出器カメラ８０４（図４の空間分解検出システム２９０に対応する）、リアルタイム投射位置合わせアルゴリズム８０５および１つまたは複数の高速投射位置合わせ要素を含む、高速投射位置合わせサブシステムをさらに備える。図３に示される制御システムは、とりわけ、図４に示され以下により詳細に説明されるような投射システムを制御するために特に使用することができる。
【００６４】
図４の投射システム２００は、静的（または低周波数）電子光学素子２５０、２７０、および２８５のセット、ならびに動的（または高周波数）電子光学素子２６０、２８０、および２８８のセットを含む。静的電子光学素子は、試料７からの二次電子（ＳＥ）３を検出面２０９ａ上に結像させるために使用される。これらは、１つまたは複数の電子光学レンズ２５１、偏向器２７１、および／または非点収差補正器２８６を含み得る。静的な場合、遅い位置合わせ時間で十分なので、磁気レンズ、磁気偏向器、および磁気非点収差補正器が使用される。コントローラ１６０は、静的電圧供給部１５０を介して静的試料電位を制御するだけでなく、静的電子光学素子２５０、２７０、および２８５も制御する。この目標を達成するために、コントローラは、検出面２０９ａに衝突する信号のごく一部を使用する空間分解検出システム２９０を使用する。例えば、空間分解検出システム２９０は、検出面２０９ａからのスポットから放射される光のごく一部を撮像する高速ＣＣＤカメラを備えることができ、検出面２０９ａには、透明キャリア上に置かれた発光物質で作られたプレートを、マルチ検出器２０９を形成するように配置することができる。検出面２０９ａ内で作り出された信号の大半は、画像取得システムに送り込むために使用される。画像取得システムは、同様に、マルチ検出器の一部を形成する。
【００６５】
上記のように、検出面２０９ａ内にシンチレータプレート２０９が配置され、その上に二次電子ビームレットが投射システム２００によって方向づけられる。投射システム２００は、図１のマルチビーム検査システムに組み込まれるとき、電子ビームレット９を形成する電子光学部品、すなわち、例えばマルチ電子検出器に向かって電子ビームレットを導く対物レンズ１０２、ビームスイッチ４００、およびレンズ２６３などのシンチレータプレート２０９の表面上に電子ビームレット９を集束させる部品を含む。電子ビームレット９は、入射位置２１３においてシンチレータプレート２０９に入射する。同様に、電子ビームレット９がシンチレータプレート２０９の表面上に集束される場合、ビームスポットが表面上に形成され、その直径は任意に小さくすることができない。ビームスポットの中心は、互いから距離Ｐ２で配設された入射位置２１３とみなすことができる（図１を参照されたい）。
【００６６】
シンチレータプレート２０９は、電子ビームレット９の入射電子によって励起されるとき光ビームを発するシンチレータ材料を含む。したがって、入射位置２１３のそれぞれに光ビーム源が配設される。図４では、単一のそのような光ビーム２２１だけが３つの描写された電子ビームレット９のうちの１つの入射位置２１３から発せられるところを示されている。光ビーム２２１は、第１のレンズ３０６、ミラー２９１、第２のレンズ２９２、第３のレンズ２９３およびビームスプリッタ２９４を備えた光学顕微鏡を通して伝播し、それから画像取得システムの受光エリア３３０に入射する。受光エリア３３０は、光ビーム２２１の大部分が結合されて光検出器２９６、２９７、２９８、２９９、３３１に導かれるグラスファイバの束２９５の表側によって形成される。光検出器は、例えば、光電子増倍管、アバランシェ・フォトダイオード、フォトダイオードまたは他の種類の適当な光検出器を含み得る。光学顕微鏡は、受光エリア３３０が配設される領域に、検出面２０９ａ内に配置されたシンチレータプレート２０９の表面を光学的に結像するように構成される。この光学結像によって入射位置２１３の光学像が受光エリア３３０に形成される。入射位置２１３のそれぞれに対して、画像取得システムの別個の受光エリア３３０が設けられる。さらなる受光エリア３３０のそれぞれは、表側に結合された光を別個のそれぞれの光検出器２９６、２９７、２９８、２９９、３３１に導く光導波路２９５の表側によって形成することができる。光学結像によって、入射位置２１３のそれぞれは、受光エリア３３０と関連付けられ、受光エリア３３０のそれぞれに入射する光は、光検出器２９６、２９７、２９８、２９９、３３１のうちの別個の１つによって検出される。光検出器２９６、２９７、２９８、２９９、３３１は、電気信号線を介して検出信号を出力する。検出信号は、電子ビームレット９の強度を表す。
【００６７】
図４では、簡略化のために、５つの光検出器２９６、２９７、２９８、２９９、３３１だけが示されていることに言及するべきである。現実的な実施形態では、光検出器２９６、２９７、２９８、２９９、３３１の数は、少なくとも一次荷電粒子ビームレットの数および二次電子ビームレット９の数に対応する。好ましい実施形態では、画像取得システムは、一次荷電粒子ビームの数よりもさらに多くの光検出器２９６、２９７、２９８、２９９、３３１、例えば各二次電子ビームレットに対して５、１０または２０個の光検出器を備える。各一次電子ビームレットに対する複数個の光検出器は、特定の二次荷電粒子ビームレットに光検出器を割り当てる際に追加の柔軟性を提供する。
【００６８】
光ビーム２２１のわずかな部分がビームスプリッタ２９４を透過して、高速ＣＣＤカメラとすることができる空間分解検出システム２９０に衝突する。
【００６９】
本明細書に明らかにされた実施形態で、光検出器２９６、２９７、２９８、２９９、３３１は、（第１のレンズ３０６、ミラー２９１、第２のレンズ２９２、第３のレンズ２９３およびビームスプリッタ２９４を備えた）光学顕微鏡がシンチレータプレート２０９を結像する受光エリアから少し離れて配設され、受け取られた光はグラスファイバによって光検出器に導かれる。しかしながら、光学顕微鏡がシンチレータプレート２０９の像を生成するところに光検出器２９６、２９７、２９８、２９９、３３１を直接配設し、したがって受光エリアによって光感応エリアを形成することが同様に可能である。
【００７０】
二次電子ビームレット９は真空中を伝播し、同様に、電子ビームレットが衝突するシンチレータプレート２０９の表面も真空中に配設される。光学顕微鏡３０６、２９１、２９２、２９３、２９４は、真空外に配設されてもよく、その場合、真空窓が光ビーム２２１のビーム経路内に設けられ、真空窓は、ビーム２２１によって横断され、環境から真空を分離する。
【００７１】
二次荷電粒子の複数のビームレットの検出は、上記のようなシンチレータ、光学顕微鏡、ファイバ束および光検出器方式の組み合わせ以外の検出システムを用いて同様に達成することができる。後続の高速読み出しを伴うＭＣＰ（マルチチャネルプレート）と高速ＣＣＤカメラの組み合わせ、または、光子への中間変換および逆変換なしで入来荷電粒子を電気的読み出し信号に直接変換するｐｎ接合からなる１つまたは複数の画素上に各二次荷電粒子ビームレットが結像される直接電子検出器を使用することが同様に可能である。下記の位置合わせ方式の適合は、そのような代替検出方式に対して同様に簡単であることになる。
【００７２】
シンチレータプレート２０９に入射する電子ビームは、シンチレータプレートの前の領域で残留ガス分子をイオン化させて入射位置２１３に電荷をもたらす場合があり、電荷は次に、真空中の残留ガス状汚染物質を引き付ける場合があり、その結果汚染物質がシンチレータプレート２０９上の入射位置２１３に堆積してシンチレータ材料の特性の劣化をもたらし、その結果入射電子ビームレット９によって引き起こされる光ビーム２２１の強度が時間とともに減少する場合がある。この問題は、シンチレータプレート２０９の面法線に直交する方向に、すなわち検出面２０９ａ内で、入射位置２１３を変位させることによって対処することができる。これを用いて、電子ビームレット９は、常に同じ入射位置２１３でシンチレータプレートの表面に入射するのではなく、シンチレータプレート２０９の表面の上を移動し、したがって、その表面上で常に新しい位置に移動する。シンチレータプレート２０９の表面上の別の位置で生じる汚染物質は、そのとき、入射二次電子ビームレット９によって引き起こされる入射位置２１３における光の発生を妨げない。
【００７３】
動的電子光学素子は、静的結像システムによって考慮されない、試料７からの二次電子（ＳＥ）３の検出面２０９ａ上への残留結像誤差を動的に補正するために使用される。これらの残留結像誤差は、ＳＥの開始エネルギーまたはＳＥの開始角度分布などの結像特性および制約が結像の１フレーム内で変化することがある帯電表面の走査中に生じることがある。これらの動的要素は、１つまたは複数の電子光学レンズ２６０、偏向器２８０、および／または非点収差補正器２８８を含み得る。動的な場合に高速位置合わせ時間が必要とされるので、好ましくは静電レンズ、静電偏向器および／または静電非点収差補正器などの静電部品だけが使用される。動的コントローラ１７０は、電圧供給部１５１を介して静的電位に加えられる動的試料電位を制御するだけでなく、動的電子光学素子２６０、２８０、および２８８も制御する。この目標を達成するために、動的コントローラ１７０は、検出面２０９ａに衝突する信号のごく一部を使用する空間分解検出システム２９０を使用する。ビーム分割装置４００は、静的に位置合わせされる磁気セクタからなる。ビーム分割装置４００内の高速静電偏向素子４１０は、動的コントローラ１７０によって同様に制御される。
【００７４】
さらなるコントローラ１６０が静的または低周波数の特性および部品を制御する。
【００７５】
検出面２０９ａ上にスポットを作り出すための最終的なレンズ２６３は、静的または動的タイプのいずれかとすることができ、それぞれ、コントローラ１６０または１７０によって制御することができる。
【００７６】
図５ａ〜５ｆで、円５５１は、画像取得システムの対応する検出器の感応エリアに対応し、したがって、検出面２０９における二次電子ビームレットの理想的な位置に対応する、空間分解検出システム２９０上のエリアを描写する。空間分解検出システム２９０上のこれらのエリアと画像取得検出器の感応エリアとの間のマッピングは、固定であり、前もってこれを較正することができる（参考のために、参照により本明細書に援用される、米国特許第９，３３６，９８２Ｂ２号明細書およびその中の参考文献を参照されたい）。円５５０は、投射システム２００によって検出面２０９ａ上に結像された二次電子ビームレットの位置分布を描写する。図５ａは、二次電子ビームレット５５０の位置分布と感応エリア５５１との間のシフトを描写する。高速偏向システム２８０を使用して、図５ｆに示される、感応エリア５５１上への二次電子ビームレット５５０の正しい位置決めを与えるように、これを補正することができる。これを達成するために、二次電子ビームレット５５０の位置分布と感応エリア５５１との間のシフトは、空間分解検出システム２９０によって記録された画像を記録および分析することによって決定される。高速偏向システム２８０のための適切な偏向電位は、記録された画像を分析することによって、リアルタイム投射位置合わせアルゴリズム８０５によって決定され、このように決定された偏向電位は、動的コントローラ１７０によって高速偏向システム２８０に印加される。偏向電位は、高速偏向システム２８０に印加された適切な電位を用いて図５ｆに示されるように二次電子５５０の位置が感応エリア５５１の中心と一致する方法で決定される。
【００７７】
図５ｂは、感応エリア５５１に対する二次電子ビームレット５５０の位置分布の歪みを描写する。高速非点収差補正システム２８５を使用して、図５ｆに示される、感応エリア５５１上への二次電子ビームレット５５０の正しい位置決めを与えるように、これを補正することができる。これを達成するために、二次電子ビームレット５５０の位置分布の歪みは、空間分解検出システム２９０によって画像を記録し、空間分解検出システム２９０によって記録された画像をリアルタイム投射位置合わせアルゴリズム８０５によって分析し、画像分析に基づいて高速非点収差補正システム２８５のための適切な非点収差補正器電圧を決定することによって決定される。同時にスポット非点収差補正を正しく保つためには、参照により本明細書に援用される米国特許出願公開第２０１５０３５７１５７Ａ１号明細書に極めて詳細に説明されるように、少なくとも２つの非点収差補正器の使用が必要となる。非点収差補正器電圧は、高速非点収差補正システム２８５に印加された適切な電圧を用いて、図５ｆに示されるように二次電子ビームレット５５０の位置が感応エリア５５１の中心と一致する方法で、リアルタイム投射位置合わせアルゴリズム８０５によって決定される。それぞれ決定された非点収差補正器電圧は、動的コントローラ１７０によって高速非点収差補正システム２８５に印加される。
【００７８】
図５ｃは、感応エリア５５１に関する二次電子ビームレット５５０の集束ずれを描写する。高速レンズシステム２６０を使用して、図５ｆに示される、感応エリア５５１上への二次電子ビームレット５５０の正しい集束を与えるように、これを補正することができる。これを達成するために、感応エリア５５１における二次電子ビームレット５５０の集束ずれは、空間分解検出システム２９０によって記録された画像をリアルタイム投射位置合わせアルゴリズム８０５によって記録および分析することによって決定される。同時にスポット位置を正しく保つためには、参照により本明細書に援用される米国特許出願公開第２０１５０３５７１５７Ａ１号明細書に極めて詳細に説明されるように、少なくとも２つのレンズの使用が必要となる。高速レンズシステム２６０のための適切な電圧は、高速レンズシステム２６０に印加された適切な電圧を用いて、図５ｆに示されるように、二次電子ビームレット５５０の位置が感応エリア５５１の中心と一致し、かつ空間分解検出システム２９０上の光スポットの直径が最小化されるかまたは適切な寸法を有する方法で、リアルタイム投射位置合わせアルゴリズム８０５によって決定され、動的コントローラ１７０によって高速レンズシステム２６０に印加される。
【００７９】
図５ｄは、感応エリア５５１上への二次電子ビームレット５５０の非点収差結像を描写する。高速非点収差補正システム２８５を使用して、図５ｆに示される、感応エリア５５１上への二次電子ビームレット５５０の正しい形状を与えるように、これを補正することができる。同時にスポット位置を正しく保つためには、参照により本明細書に援用される米国特許出願公開第２０１５０３５７１５７Ａ１号明細書に極めて詳細に説明されるように、少なくとも２つの非点収差補正器の使用が必要となる。非点収差補正を達成するために、二次電子ビームレット５５０の非点収差結像は、空間分解検出システム２９０によって記録された画像を記録および分析することによって決定される。高速非点収差補正システム２８５のための適切な非点収差補正器電圧は、リアルタイム投射位置合わせアルゴリズム８０５によって決定され、このような非点収差補正器電圧は、動的コントローラ１７０によって高速非点収差補正システム２８５に印加される。非点収差補正器電圧は、高速非点収差補正システム２８５に印加された適切な電圧を用いて、図５ｆに示されるように二次電子ビームレット５５０のビームスポットの形が感応エリア５５１の中心にそれらの中心がある円形になる方法で、画像分析に基づいて決定される。
【００８０】
図５ｅは、感応エリア５５１に関する二次電子ビームレット５５０の結像の倍率変化を描写する。高速レンズシステム２６０を使用して、図５ｆに示される、感応エリア５５１上への二次電子ビームレット５５０の正しい位置決めを与えるように、これを補正することができる。同時にスポット集束を正しく保つためには、参照により本明細書に援用される米国特許出願公開第２０１５０３５７１５７Ａ１号明細書に極めて詳細に説明されるように、少なくとも２つのレンズの使用が必要となる。これを達成するために、感応エリア５５１における二次電子ビームレット５５０の倍率変化は、空間分解検出システム２９０によって記録された画像を記録および分析することによって決定される。高速レンズシステム２６０のための適切な電圧は、画像分析に基づいて、リアルタイム投射位置合わせアルゴリズム８０５によって決定され、動的コントローラ１７０によって高速レンズシステム２６０に印加される。適切な電圧は、高速レンズシステム２６０に印加された適切な電圧を用いて、図５ｆに示されるように、すべての二次電子ビームレット５５０の位置が感応エリア５５１の中心と一致し、かつ空間分解検出システム２９０上の光スポットの直径が最小化されるかまたは適切な寸法を有する方法で、リアルタイム投射位置合わせアルゴリズム８０５によって決定される。
【００８１】
上に、図５ａ〜５ｆに関して個別の歪みの補正だけが説明される。しかしながら、リアルタイム投射位置合わせアルゴリズム８０５は、有利には、空間分解検出システム２９０を用いて記録された画像が説明された歪みの組み合わせを示す場合、高速位置合わせ部品のために適切な電位および電圧を決定するように同様に構成される。静電レンズ、静電非点収差補正器および静電偏向器のための適切な電圧は、そのとき、同時にまたは反復ステップで連続的に、リアルタイム投射位置合わせアルゴリズム８０５によって決定される。
【００８２】
空間分解検出システム２９０を用いた画像の記録は、試料の像がマルチ検出器の助けを借りて記録される前に、または試料の像の部分がマルチ検出器の助けを借りて記録される間に、例えば所定数のラインが複数の一次電子ビームレットによって走査された後に行われる。
【００８３】
図４に示される実施形態で、高周波数調整を提供する従属部品の１つまたは複数の要素２６０、２８０、２８８は、同様に、個別の二次電子ビームレットに個別に影響を与え得る、静電マイクロレンズアレイ、静電マイクロ偏向器アレイまたは静電マイクロ非点収差補正器アレイなどの静電マイクロ光学部品アレイを含み得る。それぞれの静電マイクロ光学部品アレイは、各二次電子ビームレットのための電子透過開口部と、各開口部を取り囲む１、２またはより多くの個数、すなわち例えば３、４、６または８個の電極とを有する多孔アレイを含み得る。複数の電極は、互いに対しておよび多孔アレイのキャリアに対して電気的に絶縁される。各開口部を取り囲む個別の電極に適切な電圧を印加することによって、このような開口部を透過する二次電子ビームレットを高周波数で個別に調整または変更することができる。
【図１】
2020511733.tif 000003
【図２】
2020511733.tif 000004
【図３】
2020511733.tif 000005
【図４】
2020511733.tif 000006
【図５ａ）】
2020511733.tif 000007
【図５ｂ）】
2020511733.tif 000008
【図５ｃ）】
2020511733.tif 000009
【図５ｄ）】
2020511733.tif 000010
【図５ｅ）】
2020511733.tif 000011
【図５ｆ）】
2020511733.tif 000012
【図６】
2020511733.tif 000013
【図７】
2020511733.tif 000014
【図８】
2020511733.tif 000015
【国際調査報告】
2020511733.tif 000016
2020511733.tif 000017